(57)【要約】【課題】鋼材の表面疵の原因になるトーチノロを鋳片切断面の下面側にあるもののみならず、側面及び上面に発生するものを含めて効率的に除去する手段を提案することを目的とする。併せて本発明はそのようなトーチノロ除去装置に好適なカッターユニットを提案する。【解決手段】連続鋳造鋳片のトーチノロ除去装置を、回転軸の先端を凸面となしかつ該凸面に多数の凹凸溝を形成してなる回転カッターをカッター支承体上に複数個直線状に配列したカッター群、該カッター群をスラブの進行方向に対して直角に複数個、かつ、該複数個のカッター群に含まれるカッター回転軸がスラブの進行方向からみて相互に重なり合わないようスラブの上下面及び両側面に対して配置するとともに該カッター群をスラブの上下面及び両側面に対して押圧するカッター群取り付け・押圧機構、及び前記カッター群を構成する各カッターに対して回転運動を与える駆動機構からなるものとする。【選択図】          図３
2004249336.tif 000002
【特許請求の範囲】
【請求項１】
回転軸の先端を凸面となしかつ該凸面に多数の凹凸溝を形成してなる回転カッターをカッター支承体に複数個直線状に配列したカッター群、
該カッター群をスラブの進行方向に対して直角に複数個、かつ、該複数個のカッター群に含まれるカッター回転軸がスラブの進行方向からみて相互に重なり合わないようスラブの上下面及び両側面に対して配置するとともに該カッター群をスラブの上下面及び両側面に対して押圧するカッター群取り付け・押圧機構、及び
前記カッター群を構成する各カッターに対して回転運動を与える駆動機構からなる連続鋳造鋳片のトーチノロ除去装置。
【請求項２】
回転軸の先端を凸面となしかつ該凸面に多数の凹凸溝を形成してなる回転カッターをカッター支承体上に複数個直線状に配列したカッター群を前後に複数個、かつ該複数個のカッター群に含まれるカッター回転軸が前後に重なり合わないよう設置されたカッターユニット。
【発明の詳細な説明】
【０００１】
【発明の属する技術分野】
本発明は連続鋳造した鋳片をバス切断したときに生ずるいわゆるトーチノロ除去装置及びそれに用いるカッターユニットに関する。
【０００２】
【従来の技術】
連続鋳造鋳片をガス切断したときには鋳片の切断面にいわゆるトーチノロが発生する。このトーチノロが残留したまま熱間圧延すると圧延製品のノロ噛み疵などの原因になるので、ガス切断後トーチだれを除去する工程が行なわれ、たとえば特許文献１、特許文献２にはそのためのトーチノロ（トーチだれともいう）の除去装置が提案されている。
【０００３】
【特許文献１】
実公昭６０−３７１５６号公報
【特許文献２】
実開昭６１−５８０１５号公報
【０００４】
【発明が解決しようとする課題】
これら装置を利用することによって、連続鋳造鋳片の下面に付着しているトーチノロをほぼ完全に除去することができる。しかし、連続鋳造鋳片のガス切断の際に発生するトーチノロは、鋳片下面のみだけに発生、残存するものではない。鋳片切断面の側面及び上面にも発生し、その残存が鋼材の表面性状を厳しく管理するときに問題になる。
【０００５】
本発明は、そのような鋼材の表面疵の原因になるトーチノロを鋳片切断面の下面側にあるもののみならず、側面及び上面に発生するものを含めて効率的に除去する手段を提案することを目的とする。併せて本発明はそのようなトーチノロ除去装置に好適なカッターユニットを提案するものである。
【０００６】
【課題を解決するための手段】
本発明に係る連続鋳造鋳片のトーチノロ除去装置は、回転軸の先端を凸面となしかつ該凸面に多数の凹凸溝を形成してなる回転カッターをカッター支承体上に複数個直線状に配列したカッター群、該カッター群をスラブの進行方向に対して直角に複数個、かつ、該複数個のカッター群に含まれるカッター回転軸がスラブの進行方向からみて相互に重なり合わないようスラブの上下面及び両側面に対して配置するとともに該カッター群をスラブの上下面及び両側面に対して押圧するカッター群取り付け・押圧機構、及び前記カッター群を構成する各カッターに対して回転運動を与える駆動機構からなる。
【０００７】
上記連続鋳造鋳片のトーチノロ除去装置は、回転軸の先端を凸面となしかつ該凸面に多数の凹凸溝を形成してなる回転カッターをカッター支承体上に複数個直線状に配列したカッター群を前後に複数個、かつ該複数個のカッター群に含まれるカッター回転軸が前後に重なり合わないよう設置されたカッターユニットを利用することによりその組み立て、製作が容易になる。
【０００８】
【発明の実施の形態】
図１、図２には本発明に係る連続鋳造鋳片のトーチノロ除去装置の典型的な設備構成を示している。ここに示すように本発明に係る連続鋳造鋳片のトーチノロ除去装置の概略構成は、スラブ１を搬送するローラーテーブル２を挟んで上下面及び両側面にトーチノロ除去機構１０、５０が配置され、スラブ１を搬送しながらスラブの上下面及び側面に付着しているトーチノロを１パスで除去するように配置されるようになっている。ここに、トーチノロ除去機構１０、５０は、回転軸の先端を凸面となしかつ該凸面に多数の凹凸溝を形成してなる回転カッターをカッター支承体上に複数個直線状に配列したカッター群、該カッター群をスラブの進行方向に対して直角に複数個、かつ、該複数個のカッター群に含まれるカッター回転軸がスラブの進行方向からみて相互に重なり合わないようスラブの上下面及び両側面に対して配置するとともに該カッター群をスラブのトーチノロ除去面に対して押圧するカッター群取り付け・押圧機構、及び前記カッター群を構成する各カッターに対して回転運動を与える駆動機構からなる。以下、本発明の構成を具体的に説明する。
【０００９】
図３は図１に示すトーチノロ除去装置のＢＢ矢視側面図（要部）であり、上下面トーチノロ除去機構の具体的構成を示している。ここに示すように上下面トーチノロ除去機構１０は、上側トーチノロ除去機構（１０Ａ）と下側トーチノロ除去機構（１０Ｂ）とからなり、それぞれ、カッター群、その取り付け押圧機構及び各カッターに対して回転運動を与える駆動機構を有する。
【００１０】
上側トーチノロ除去機構（１０Ａ）は、ローラーテーブルを跨いで立設されたハウジング１１の梁からシリンダー１３により上下位置調整自在に吊り下げられた上フレーム１２と該上フレーム１２からバネ１５により取りつけられた上カッタ支承体１４、これに回転自在に取りつけられたカッター１６、さらには上記カッターの回転駆動機構からなる。
【００１１】
カッターは図７、８に示すように、回転軸３３の先端に凸面を有するカッター本体３１を取り付け、該カッター本体３１の凸面に多数の鋸歯３２を形成してなるものであり、これを押圧して回転することによりトーチノロが除去できるようになっている。
【００１２】
上カッター支承体１４は、ローラーテーブル２の幅にほぼ相当する長さを有し、その長さ全体にわたって多数のカッター１６をその回転軸３３で軸支している。カッター１６は上カッター支承体１４の下面においてその周縁が接しない程度に距離をおいてほぼ一列に、かつ上カッター取りつけ台１４の全長にわたって配置され、カッター群２８を形成している。
【００１３】
カッター１６のシャフト３３の端部は、上記上カッター支承体１４の上面に突き出て一対のベベルギヤ１７に連接している。このベベルギヤ１７は上部駆動軸１８、さらにスピンドル１９を介してモータ２０に繋がっている。
【００１４】
ハウジング１１には、上記スラブ進行方向（図１、図２、図４、図６において矢印で示す）に所定の距離を離間して少なくとももう一連のカッター群２８が配置される。その際、これら複数個のカッター群２８に含まれるカッター回転軸がスラブの進行方向からみて相互に重なり合わないようにする。具体的には、図２に示さすように、前列の上カッター支承体１４Ａ上のカッター群２８Ａと後列の上カッター支承体１４Ｂ上のカッター群２８Ｂとの間で回転軸の位置がスラブ進行方向から見て互い違いになるようにする。これら、タンデムに配置されたカッター列２８Ａと２８Ｂはそれぞれ別個のモーターにより駆動される。
【００１５】
下側トーチノロ除去機構１０Ｂは、ローラーテーブル２を挟んでその下面側に設けられた下フレーム２１にバネ３０を介して取りつけられた下カッター支承体２２、及び該下カッター支承体２２に回転自在に取りつけられたカッター２３、さらには上記カッター２３の回転駆動機構からなる。図３から分かるように、下カッター支承体２２へのカッター２３の取り付け方法は上カッター支承体１４への取りつけ方法等とほぼ同様であり、ベベルギヤ２４、下部駆動軸２５、さらにスピンドル２６を介してモータ２７により駆動されることも上側トーチノロ除去部１０Ａと同様である。
【００１６】
さらに、ハウジング１１に上記スラブ進行方向に所定の距離を離間して少なくとももう一連のカッター群２９を配置し、その際、これら複数個のカッター群に含まれるカッター回転軸がスラブの進行方向からみて相互に重なり合わないように配置する点も上側トーチノロ除去部１０Ａと同様である。
【００１７】
図５は図１に示すトーチノロ除去装置のＣＣ矢視側面図（要部）であり、側面トーチノロ除去機構の具体的構成を示している。この側面トーチノロ除去機構５０は、図１、図２に示すように、上下面上下面ノロ除去機構１０の後面側（スラブ１の進行側）に配置されており、側面トーチノロ除去機構５０は、左右一対のトーチノロ除去部を有し、それぞれ、カッターとその駆動部を有する。
【００１８】
この側面トーチノロ除去機構は、ローラーテーブル２の側方に立設されたコラム５９にバネ５３を介して取りつけられた側面カッター支承体５２、及び該側面カッター支承体５２に回転自在に取りつけられたカッター５４、さらには上記カッターの回転駆動機構からなる。図５から分かるように、側面カッター支承体５２へのカッター５４の取り付け方法は、すでに説明した上カッター支承体１４への取りつけ方法とほぼ同様であり、ベベルギヤ５５、側面駆動軸５６、さらにスピンドル５７を介してモータ５８により駆動されることも上側トーチノロ除去部１０Ａと同様である。
【００１９】
また、上記コラム５９に上記スラブ進行方向に所定の距離を離間して複数の側面カッター群６０Ａ、６０Ｂを配置し、その際、これら複数個のカッター群６０Ａ、６０Ｂに含まれるカッター回転軸がスラブの進行方向からみて相互に重なり合わないように配置する点も上側トーチノロ除去部１０Ａと同様である。
【００２０】
上記のように構成された連続鋳造鋳片のトーチノロ除去装置は図１、２に示すようにローラーテーブル２を挟んで配置され、スラブ１をローラーテーブル２上を搬送する際に上下面トーチノロ除去機構１０、側面トーチノロ除去機構５０を作動状態におく。
【００２１】
その際、本発明に係るトーチノロ除去装置では、カッター１６（２３，５４）が回転軸３３の先端に凸面を有する回転体を取り付け、該凸面に多数の鋸歯３２を形成したものとなっている。また、これらカッター１６（２３，５４）はカッター支承体１４（２２）を介して回転自在にバネ１５（５３）により支えられている。そのため、スラブがトーチノロ除去装置に侵入する際、カッター１６（２３，５４）はスラブ１の端面（側面）に突っ掛ることなくスラブ１の上下面及び側面に移ることができる。
【００２２】
また、カッター支承体１４（２２、５２）には、カッター１６（２３，５４）がその周縁を接しない程度に距離をおいてほぼ一列に配置されたカッター群がスラブの進行方向に対して少なくともタンデムに配置され、しかもこれらカッター群に含まれるカッター回転軸がスラブの進行方向からみて相互に重なり合わないように配置されているから、一方（前方）のカッター群で削り残したトーチノロが他方（後方）のカッター群で削り落とされるようになる。
【００２３】
以上、本発明を典型的な実施形態によって説明したが、本発明はそれに留まらず、種々の形態で実施し得る。たとえば上下面トーチノロ除去機構１０と側面トーチノロ除去機構５０の取り付け順序を変更すること、カッターをカッター支承体に配列したカッター群２８をスラブ１に押圧する手段を上記例で示したフレームからのバネによる手段以外のものに変えることなど、本発明の技術的思想を逸脱しない限り自由である。
【００２４】
また、カッター群２８（６０）をスラブの進行方向に対してタンデムに配置するに当り、これらを結合した単一ユニットとして構成することもでき、それにより本発明装置の組み立てが容易になる。このような組み立てユニットは、従来のスラブ下面のトーチノロのみを研削するカッターとして利用することもできる。
【００２５】
【発明の効果】
本発明により、鋼材の表面疵の原因になるトーチノロを鋳片切断面の下面側にあるもののみならず、側面及び上面に発生するものを含めて１パスで除去することができる。また、本発明に係るカッターユニットは、スラブ端面に突っ掛ることなくスラブの上下面及び側面に移ることができるものであり、その利用によりトーチノロ除去装置の操業の改善を行うことができる。
【図面の簡単な説明】
【図１】本発明の１実施例に係る連続鋳造鋳片のトーチノロ除去装置の概略構成を示す平面図である。
【図２】図１に示すトーチノロ除去装置のＡＡ矢視平面図である。
【図３】図１に示すトーチノロ除去装置のＢＢ矢視側面図（要部）である。
【図４】図２の要部ＣＣ視図（要部）である。
【図５】図１に示すトーチノロ除去装置のＤＤ矢視側面図（要部）である。
【図６】図５の要部ＥＥ矢視図（要部）である。
【図７】本発明の連続鋳造鋳片のトーチノロ除去装置に使用するカッターの正面図である。
【図８】図７に示すカッターのＦＦ矢視断面図である。
【符号の説明】
１：スラブ
２：ローラーテーブル
１０：上下面トーチノロ除去機構
１１：ハウジング
１２：上フレーム
１３：シリンダー
１４：上カッター支承体
１５：バネ
１６：カッター
１７：ベベルギヤ
１８：上部駆動軸
１９：スピンドル
２０：モータ
２１：下フレーム
２２：下カッター支承体
２３：カッター
２４：ベベルギヤ
２５：下部駆動軸
２６：スピンドル
２７：モータ
２８、２９：カッター群
３０：バネ
３１：カッター本体
３２：鋸刃
３３：回転軸
５０：側面トーチノロ除去機構
５１：ハウジング
５２：側面カッター支承体
５３：バネ
５４：カッター（側面研削用）
５５：ベベルギヤ
５６：側面駆動軸
５７：スピンドル
５８：モータ
５９：コラム
６０：カッター群
【図１】
2004249336.tif 000003
【図２】
2004249336.tif 000004
【図３】
2004249336.tif 000005
【図４】
2004249336.tif 000006
【図５】
2004249336.tif 000007
【図６】
2004249336.tif 000008
【図７】
2004249336.tif 000009
【図８】
2004249336.tif 000010